(57)【特許請求の範囲】
【請求項１】
内視対象の管腔内に挿入される挿入部の先端側に設けられる、観察若しくは撮像のための光学系と、
取付ベースと、前記取付ベースに固定設置された複数のＬＥＤベアチップと、前記複数のＬＥＤベアチップの前面を覆う共通の蛍光体層と、を有して前記挿入部の先端側に設けられ、前記内視対象を照らし出すためのＬＥＤ照明手段と、
を備える内視鏡装置において、
前記取付ベースのチップ取付部を階段状に形成して、その各チップ取付部に前記ＬＥＤベアチップを取付けると共に、階段状に配置した前記ＬＥＤベアチップの前面に前記共通の蛍光体層を配置したことを特徴とする内視鏡装置。
【請求項２】
外表面から電極面が露出するように電極金属が埋設された絶縁性板状部材を前記取付ベースの前面に取り付け、前記複数のＬＥＤベアチップを、前記絶縁性板状部材の前記電極金属にワイヤボンディングによるワイヤ配線によって接続したことを特徴とする請求項１に記載の内視鏡装置。
【請求項３】
前記取付ベースに窪み部を設け、前記窪み部内に前記複数のＬＥＤベアチップを配置し、前記窪み部内において前記複数のＬＥＤベアチップの前面に跨るように蛍光体を塗布して前記蛍光体層を形成したことを特徴とする請求項１または２に記載の内視鏡装置。
【請求項４】
前記取付ベースを略円錐状に形成し、その外周面に、軸方向に沿って階段状に複数段のチップ取付部を設けたことを特徴とする請求項１に記載の内視鏡装置。
【請求項５】
最下段の前記チップ取付部の外周縁部に第１の堰止め壁を設けると共に、最上段の前記チップ取付部の内周縁部に第２の堰止め壁を設け、隣接するチップ取付部の段差コーナを、前記第１の堰止め壁と前記第２の堰止め壁の上端部を結ぶ仮想円錐面よりも径方向内側に位置されるようにし、前記第１の堰止め壁と前記第２の堰止め壁によって縁取られた窪み部内において複数のＬＥＤベアチップの前面に跨って蛍光体を塗布して前記蛍光体層を形成したことを特徴とする請求項４に記載の内視鏡装置。
【発明の詳細な説明】
【技術分野】
【０００１】
この発明は、内視対象の管腔内に挿入される挿入部にＬＥＤ照明手段が配置された内視鏡装置に関するものである。
【背景技術】
【０００２】
工業用や医療用として使用される内視鏡装置は、管腔内に挿入される挿入部の先端側に、観察若しくは撮像のための光学系が設けられると共に、管腔内の内視対象の周辺を照らし出すための照明手段が設けられている。この照明手段としては、外部の光源の光を光ファィバーを介して対象物に照射するものが多く用いられているが、近年、発光ダイオード（本明細書においては「ＬＥＤ」と呼ぶものとする。）を挿入部に直接取付け、そのＬＥＤの光によって内視対象の周辺を照射するものが開発されている（例えば、特許文献１及び２参照。）。
【０００３】
このＬＥＤ照明手段を用いた従来の内視鏡装置は、挿入部のハウジング内に設けられた取付ベースの前面に配線が設けられ、その配線に複数のＬＥＤのパッケージチップ（ＬＥＤベアチップを電極や蛍光体層、封止層等と共にパッケージ化したもの。）が配線固定されると共に、取付ベース上の配線の電極部が外部の電源ユニットに接続されている。
【特許文献１】特開２００３−１９１０７号公報
【特許文献２】特開２００２−５１９７１号公報
【発明の開示】
【発明が解決しようとする課題】
【０００４】
しかし、この従来の内視鏡装置においては、複数のＬＥＤのパッケージチップを取付ベースの前面に並べて配置するようにしているため、挿入部のサイズ等の関係で取付ベースの設置面積が限られている場合には、ＬＥＤを充分な数だけ配置することができず、逆に、内視対象に照射する光量を充分に確保しようとすると、ＬＥＤ照明手段の大型化を避けることができない。
【０００５】
そこでこの発明は、取付ベース上の限られたスペース内に充分な数のＬＥＤを配置できるようにして、ＬＥＤ照明手段の小型化と充分な光量確保を両立させることのできる内視鏡装置を提供しようとするものである。
【課題を解決するための手段】
【０００６】
上記目的を達成するために、この発明の内視鏡装置は、内視対象の管腔内に挿入される挿入部の先端側に設けられる、観察若しくは撮像のための光学系と、取付ベースと、この取付ベースに固定設置された複数のＬＥＤベアチップと、複数のＬＥＤベアチップの前面を覆う共通の蛍光体層と、を有して前記挿入部の先端側に設けられ、前記内視対象を照らし出すためのＬＥＤ照明手段とを備える内視鏡装置において、前記取付ベースのチップ取付部を階段状に形成して、その各チップ取付部に前記ＬＥＤベアチップを取付けると共に、階段状に配置した前記ＬＥＤベアチップの前面に前記共通の蛍光体層を配置したことを特徴とする。
【０００７】
この発明の場合、ＬＥＤがベアチップのまま取付ベース上に設置され、また、複数のＬＥＤベアチップの前面を共通の蛍光体層で覆うため、ＬＥＤのチップ相互間の距離が短くなり、蛍光体層の設置も容易になる。また、ＬＥＤがベアチップのまま各チップ取付部に取り付けられるため、階段のステップに当たる各チップ取付部の幅が狭まり、その分、ＬＥＤが密集して配置される。
【０００８】
また、この発明の内視鏡装置においては、外表面から電極面が露出するように電極金属が埋設された絶縁性板状部材を前記取付ベースの前面に取り付け、前記複数のＬＥＤベアチップを、絶縁性板状部材の電極金属にワイヤボンディングによるワイヤ配線によって接続することが望ましい。
【０００９】
このようにした場合、絶縁性板状部材を取付ベースに取り付けるだけで電極を取付ベース上に容易に設置することが可能になると共に、各ＬＥＤベアチップと電極との配線もワインヤボンディングによって容易に行うことが可能になる。
【００１０】
さらに、前記取付ベースには窪み部を設け、その窪み部内に複数のＬＥＤベアチップを配置し、その窪み部内において複数のＬＥＤベアチップの前面に跨るように蛍光体を塗布して前記蛍光体層を形成するようにしても良い。
【００１１】
このようにした場合、必要外の蛍光体の流出が窪み部によって阻止されるため、複数のＬＥＤベアチップの前面に跨る蛍光体層が容易に形成される。
【００１６】
前記取付ベースを略円錐状に形成し、その外周面に、軸方向に沿って階段状に複数段のチップ取付部を設けるようにしても良い。
【００１７】
このようにした場合、略円錐状の取付ベースの周域にＬＥＤが密集状態で効率良く配置されるため、取付ベースを挿入部の先端部に配置することによって管腔に対する挿入部先端の挿入性を良好に維持したまま、ＬＥＤの照射光量の増大を図ることが可能になる。
【００１８】
また、最下段のチップ取付部の外周縁部に第１の堰止め壁を設けると共に、最上段のチップ取付部の内周縁部に第２の堰止め壁を設け、隣接するチップ取付部の段差コーナを、前記第１の堰止め壁と第２の堰止め壁の上端部を結ぶ仮想円錐面よりも径方向内側に位置されるようにし、前記第１の堰止め壁と第２の堰止め壁によって縁取られた窪み部内において複数のＬＥＤベアチップの前面に跨って蛍光体を塗布するようにしても良い。
【００１９】
この場合、第１の堰止め壁と第２の堰止め壁によって縁取られる窪み部によって必要外の蛍光体が流出するのを阻止することできるため、複数のＬＥＤベアチップの前面に跨る蛍光体層が容易に形成される。
【発明の効果】
【００２０】
この発明は、複数のＬＥＤをベアチップのまま取付基板上に設置して、これらのベアチップの前面を共通の蛍光体層で覆うものであるため、ＬＥＤのベアチップを取付ベース上の限られたスペース内に密集して配置することができる。したがって、この発明によれば、ＬＥＤ照明手段の充分な光量を確保しつつ、ＬＥＤ照明手段の小型化を図ることができる。また、複数のベアチップの前面を共通の蛍光体層で覆うため、蛍光体層を効率良く設置でき、このことから生産効率の向上を図ることができる。
【発明を実施するための最良の形態】
【００２１】
次に、この発明の各実施形態を図面に基づいて説明する。尚、以下の各実施形態の説明において、同一部分には同一符号を付し、重複する説明を省略するものとする。
【００２２】
最初に、図１〜図４に示す第１の実施形態について説明する。
図２は、この発明にかかる内視鏡装置全体の概略構成を示すものである。同図に示すように、この内視鏡装置は、長尺な軟性管１の先端側にレンズアダプタ２が接続されて成る挿入部３と、この挿入部３の基端が接続されたボックス状の装置本体部４とを備えている。
【００２３】
そして、この内視鏡装置は、挿入部３に撮像手段としてのＣＣＤ（図示せず。）が設けられ、そのＣＣＤで捕えた画像信号を、軟性管１の内部の信号線を通して装置本体部４に設置された信号処理回路（図示せず。）に出力し、信号処理回路で処理された信号を画像表示手段である液晶パネル５に映像として映し出すようになっている。尚、装置本体部４には、前記信号処理回路の他、バッテリ電源に接続された主電源回路（図示せず。）等が内蔵されている。
【００２４】
管腔に挿入される挿入部３は、前述のように軟性管１の先端側にレンズアダプタ２が設けられているが、さらに詳しくは、軟性管１の先端側には金属等の硬質材料から成る連結プラグ６が設けられ、その連結プラグ６の先端部にレンズアダプタ２が脱着可能に設けられている。連結プラグ６の先端部には前述のＣＣＤが設けられると共に、レンズアダプタ２側に電流を供給するための図示しない電極が設けられている。尚、図２（Ｂ）において、２Ａは、側視型の交換用のレンズアダプタを示す。
【００２５】
図１，図３に示すレンズアダプタ２は所謂直視型のものであり、内視対象物に対峙しその像を連結プラグ６のＣＣＤ上に結ぶ対物レンズ群（図示せず。）が軸方向に沿って直列に配置されている。この対物レンズ群は、図１に示す保持部材７の前方側の筒状壁７ａ内に収容されている。
【００２６】
また、保持部材７の筒状壁７ａの外周側には、図１に示すように全体がほぼ短軸円筒状を呈するＬＥＤ照明手段８が設けられている。このＬＥＤ照明手段８は、筒状壁７ａに外嵌された状態において、接着やビス止め、ピン固定等の適宜手段によって保持部材７の前端部に固定されている。
【００２７】
ＬＥＤ照明手段８は、図１及び図３に示すように、アルミニウム等の熱伝導性の良い金属材料によって形成された取付ベース９と、電極金属１０Ａ，１０Ｂが夫々埋設された一対の絶縁性板状部材１１Ａ，１１Ｂと、取付ベース９に接着固定された複数のＬＥＤベアチップ１２…と、を備え、各ＬＥＤベアチップ１２が図１，図４に示すように取付ベース９の前方側において電極金属１０Ａ，１０Ｂにワイヤ配線１３によって結線されている。
【００２８】
取付ベース９は、孔あき円板状のベース本体１４と、そのベース本体１４の前面に固定された一対のキャビティ部材１５，１５とから成り、両キャビティ部材１５，１５は、ベース本体１４の前面の中央の孔を挟む対角位置に配置され、夫々に略楕円状の収容孔１６（図３参照。）が形成されている。この収容孔１６は、各キャビティ部材１５がベース本体１４の前面に重合固定されることにより、ベース本体１４との間で略楕円状の窪み部１７（図１参照。）を形成する。そして、前記ＬＥＤベアチップ１２は複数個（この例では３個）が組にされ、その組を成すＬＥＤベアチップ１２が前記各収容孔１６の内側、つまり、前記各窪み部１７内において相互に近接した状態で配置されている。尚、この実施形態の場合、ベース本体１４と各キャビティ部材１５は、これらの表面にアルマイト処理等の絶縁処理が施されている。また、ここではベース本体１４と各キャビティ部材１５を金属材料で形成したが、これらを樹脂等の絶縁材料で形成するようにしても良い。
【００２９】
また、絶縁性板状部材１１Ａ，１１Ｂは、ベース本体の前面のうちの、キャビティ部材１５，１５の両側部分に夫々配置されており、夫々は柔軟性を有する絶縁性材料から成る基材に電極金属１０Ａまたは１０Ｂが埋設されている。そして、各電極金属１０Ａ，１０Ｂは、絶縁性板状部材１１Ａ，１１Ｂの基材の前面側外表面から露出し、その露出面が電極面とされている。そして、各絶縁性板状部材１１Ａ，１１Ｂの電極金属１０Ａ，１０Ｂが配置される部位には板厚方向に貫通する貫通孔１８が形成されており、ベース本体１４の挿通孔１９を通して前方に引き出された通電用の配線２０Ａ，２０Ｂがこの貫通孔１８に挿入され、その貫通孔１８の前方側において対応する各電極金属１０Ａ，１０Ｂにはんだ付け固定されている。
【００３０】
また、この実施形態の場合、各ＬＥＤベアチップ１２は青色ＬＥＤ、若しくは、紫色ＬＥＤが用いられ、その前面側には白色光を得るためにＹＡＧ（イットリウム・アルミニウム・ガーネット）系の蛍光樹脂から成る蛍光体層２１が配置されるようになっている。
【００３１】
ここで、取付ベース９に取り付けられる各ＬＥＤベアチップ１２は夫々の電極部が前方に向くように並んで配置されており、一方、絶縁性板状部材１１Ａ，１１Ｂの電極金属１０Ａ，１０Ｂは前述のように前面側に露出している。そして、絶縁性板状部材１１Ａ，１１Ｂの両電極面（電極金属１０Ａ，１０Ｂ）と各ＬＥＤベアチップ１２は、図４に示すようにキャビティ部材１５の前面側からワイヤボンディング（ワイヤ配線１３）によって結線されている。
【００３２】
また、ＬＥＤベアチップ１２の前面側に配置される蛍光体層２１は、前述のように各ＬＥＤベアチップ１２をワイヤボンディングによって電極面（電極金属１０Ａ，１０Ｂ）に接続した後に、蛍光体の溶液を各キャビティ部材１５の収容孔１６（窪み部１７）内に前面側から流し込み、そのまま乾燥させて凝固させることによって収容孔１６内の全ＬＥＤベアチップ１２の前面全体を覆うように形成されている。
【００３３】
そして、こうして蛍光体層２１の形成された取付ベース９の前面側には、図４に示すようにワイヤ配線１３と絶縁性板状部材１１Ａ，１１Ｂを覆うように絶縁性の透明な封止剤２２が充填配置されている。
【００３４】
この実施形態の内視鏡装置は、以上構成を説明したようにＬＥＤ照明手段８のＬＥＤがＬＥＤベアチップ１２のままで取付ベース９上に複数個配置され、その複数のＬＥＤベアチップ１２の前面に跨るように共通の蛍光体層２１が設けられているため、ＬＥＤをパッケージチップとして取付ベース上に複数配置していた従来のものに比較して、隣接するＬＥＤ相互間の距離を短くすることができる。このため、取付ベース９上の設置スペースが同じであればより多数のＬＥＤを密集状態で実装することができ、同数のＬＥＤを実装するのであれば、ＬＥＤの設置スペースを小さくすることができる。そして、この内視鏡装置においては、ＬＥＤ照明手段８のＬＥＤを取付ベース９上の小スペースに密集させることができるため、消費電流の増大を招くことなく、内視対象部分に充分な光を照射することができる。
【００３５】
また、この内視鏡装置の場合、ＬＥＤベアチップ１２を取付ベース９に直接実装するにあたって、電極金属１０Ａ，１０Ｂを埋設した絶縁性板状部材１１Ａ，１１Ｂを取付ベース９に接着すると共に、各ＬＥＤベアチップ１２と電極金属１０Ａ，１０Ｂを取付ベース９の前面側からワイヤボンディングによって結線するようにしているため、微細部品の実装に拘わらず効率良く組付作業を行うことができる。したがって、この内視鏡装置においては、ＬＥＤ照明手段８の小型化と光量確保を両立させつつも、製造コストの高騰を抑えることができる。
【００３６】
さらに、この実施形態の内視鏡装置は、取付ベース９に複数のＬＥＤベアチップ１２を囲繞する窪み部１７を設け、その窪み部１７内において蛍光体の溶液を複数のＬＥＤベアチップ１２の前面に塗布することによって、複数のＬＥＤベアチップ１２の前面に跨る蛍光体層２１が形成されているため、均質な蛍光体層２１を容易に形成できるという利点がある。即ち、この装置の場合、ＬＥＤベアチップ１２の前面に塗布する蛍光体の溶液の流れが窪み部１７によって規制されるため、蛍光体層２１の厚みを容易に管理することができるうえ、別体の蛍光体層を後から複数のＬＥＤベアチップの前面に貼り付ける場合に比較して接着等の手間がかからないことから効率良く組付作業を進めることができる。したがって、このことから製造コストをより低減することができる。
【００３７】
また、特にこの実施形態では、収容孔１６を有するキャビティ部材１５をベース本体１４の前面に接合することによって取付ベース９が形成されているため、単一部品から成る取付ベース９に窪み加工を行う場合に比較して製造が容易であり、このことも製造コストの低減に寄与している。
【００３８】
尚、以上の実施形態では、取付ベース９の前面に複数のＬＥＤベアチップ１２を配置する窪み部１７を設け、その窪み部１７内において蛍光体を複数のＬＥＤベアチップの前面に塗布するようにしているが、図５に示す第２の実施形態のように、蛍光体層１２１を底面の無いボックス状に形成しておき、そのボックス状の蛍光体層１２１を、複数のＬＥＤベアチップ１２の前面側を覆うように取付ベース１０９の前面に接着等によって固定するようにしても良い。このようにした場合、キャビティ部材を設ける必要がないため、装置を小型・軽量化するうえで有利となる。尚、図５中３０は、配線１３を蛍光体層１２１の外部に引き出すために設けられた切欠き溝である。
【００３９】
また、図６に示す第３の実施形態のように、取付ベース９のベース本体１４に枠部材４０を固定し、その枠部材４０の前面に平板状の蛍光体層２２１を接着等によって固定するようにしても良い。さらにまた、図７に示す第４の実施形態のように、取付ベース３０９にキャビティ部材を設けずに、取付ベース３０９の前面に窪み部３１７を直接加工し、その窪み部３１７の底部に複数のＬＥＤベアチップ１２を取り付けるようにしても良い。
【００４０】
また、図８及び図９（Ｂ）は、第５の実施形態を示すものである。
この実施形態の内視鏡装置は、レンズアダプタ４０２の前端部の構成部材の形状や配置が前述の実施形態のものと異なり、円柱状のレンズアダプタ４０２の前端部に半円状の切欠き部５０が設けられ、その切欠き部５０に半割り円板状の取付ベース４０９が取り付けられている。取付ベース４０９の前面には略半円状の窪み部４１７が形成され、その窪み部４１７の底面に複数のＬＥＤベアチップ１２と絶縁性板状部材１１Ａ，１１Ｂが接着固定されている。絶縁性板状部材１１Ａ，１１Ｂには電極金属１０Ａ，１０Ｂが夫々埋設され、電極金属１０Ａ，１０Ｂの前面の露出面と各ＬＥＤベアチップ１２とが前述の実施形態と同様にワイヤボンディングによって結線されている。そして、窪み部４１７内に設置された複数のＬＥＤベアチップ１２の前面には蛍光体が塗布され、それによって複数のＬＥＤベアチップ１２の前面に跨る蛍光体層４２１が設けられている。尚、この蛍光体層４２１が設置された窪み部４１７内にはその上に絶縁性の封止剤が充填されている。また、レンズアダプタ４０２の前端面の取付ベース４０９の配置されていない部分には内視対象物に対峙する対物レンズ群の窓５１が配置されている。
【００４１】
この実施形態の内視鏡装置は、基本的に第１の実施形態と同様の効果を得ることができるが、特に、この実施形態のようにＬＥＤを配置する部分が曲面形状や鋭角形状である場合には、配置部の形状による制限を殆ど受けることなく小型のＬＥＤベアチップ１２を密集状態で効率良く配置することができる。因みに、図９（Ａ）は、図９（Ｂ）と同様の取付ベース４０９の前面にＬＥＤベアチップ１２を個別に収容する複数の窪み部５５を設けた比較例であるが、両図を比較して明らかなように、この実施形態の装置においは狭小部分にも多数のＬＥＤベアチップ１２を効率良く配置することができる。
【００４２】
また、ここでは複数のＬＥＤベアチップ１２を配置する窪み部４１７を取付ベース４０９に直接形成したものについて説明したが、図１０に示すように取付ベース５０９を板状のベース本体５１４とその前面に重合固定されるキャビティ部材５１５によって形成し、キャビティ部材５１５の収容孔５１６とベース本体５１４の前面によって窪み部５１７を形成し、ＬＥＤ照明手段５０８のユニットとしてアダプタハウジング６０の前端部内側に最終的に組付けるようにしても良い。
【００４３】
尚、ＬＥＤ照明手段５０８は、必ずしもアダプタハウジング６０の前端部に設ける必要はなく、例えば、図１１に示すようにアダプタハウジング６０の前端部から後退した位置にＬＥＤ照明手段５０８を取付け、そのＬＥＤ照明手段５０８の前方側にレンズ等の導光素子７０を配置するようにしても良い。また、図１２に示すようにアダプタハウジング６０と一体の取付ベース６０９の前面に窪み部６１７を直接形成するようにしても良い。
【００４４】
また、図１３、図１４（Ｂ）は、この発明の第７の実施形態を示すものであり、この実施形態の内視鏡装置はこの発明にかかる基本構造を側視型のレンズアダプタ７０２に適用したものである。この装置は、レンズアダプタ７０２の先端部の側面に設けられた段差面７５に、撮像用の窓７５１と略方形状のＬＥＤ照明手段７０８が並列に配置されているが、ＬＥＤ照明手段７０８自体の基本構造は第５の実施形態のものとほぼ同様となっている。
【００４５】
図１４（Ａ）は取付ベース７０９の前面に各ＬＥＤベアチップ１２を個別に収容する複数の窪み部５５を設けた比較例であるが、両者を比較して明らかなように、図１４（Ｂ）に示すこの発明にかかる装置は、比較例のものと同数のＬＥＤベアチップ１２を取付ベース７０９に配置するのであれば、取付ベース７０９上の設置スペースを小さくすることができる。
【００４６】
つづいて、図１５，図１６に示す第８の実施形態について説明する。
この実施形態の内視鏡装置は、レンズアダプタ８０２の保持部材８０７の先端部に筒状壁８０７ａが設けられ、その筒状壁８０７ａの外周に、全体がほぼ截頭円錐状を呈するＬＥＤ照明手段８０８が取り付けられている。このＬＥＤ照明手段８０８は、取付ベース８０９自体がほぼ截頭円錐状に形成され、その軸心部に前記筒状壁８０７ａに嵌合される装着孔８０９ａが形成されている。そして、取付ベース８０９の外周面には複数段（この実施形態の場合、３段。）のチップ取付部８０が軸方向に沿って階段状に形成されており、階段のステップにあたる各チップ取付部８０には複数のＬＥＤベアチップ１２が接着固定されている。そして、中央段のチップ取付部８０には前記ＬＥＤベアチップ１２と共に、電極金属１０Ａ，１０Ｂを埋設した一対の絶縁性板状部材１１Ａ，１１Ｂが接着固定され、その各電極金属１０Ａ，１０Ｂが各段のＬＥＤベアチップ１２にワイヤボンディングによって結線されている（ワイヤ配線１３参照。）。また、こうして結線された複数のＬＥＤベアチップ１２と電極金属１０Ａ，１０Ｂの前面側には共通の蛍光体層８２１が配置され、そのさらに前面には封止剤８２２が設けられている。
【００４７】
また、前記取付ベース８０９は、最下段のチップ取付部８０の外周縁部に第１の堰止め壁８１が延設されると共に、最上段のチップ取付部８０の内周縁部に第２の堰止め壁８２が延設されている。これらの堰止め壁８１，８２は、複数のＬＥＤベアチップ１２と電極金属１０Ａ，１０Ｂの前方側に蛍光体層８２１を設けるときに液状の蛍光体の流れを塞き止めるものであり、隣接するチップ取付部８０，８０間の各段差コーナ８３は、両堰止め壁８１，８２の上端を結ぶ仮想円錐面よりも径方向内側に位置されるようになっている。即ち、ＬＥＤベアチップ１２と電極金属１０Ａ，１０この前方側に蛍光体層８２１を設ける場合には、第１の堰止め壁８１と第２の堰止め壁８２によって縁取られた窪み部内において、全チップ取付部８０上の複数のＬＥＤベアチップ１２の前面に液状の蛍光体を塗布する。両堰止め壁８１，８２間に挟まれた窪み部内においてこうして蛍光体を塗布すると、蛍光体が流れ出ないため、全てのＬＥＤベアチップ１２の前面に跨る蛍光体層８２１が容易に形成される。
【００４８】
この実施形態の内視鏡装置は、以上のようにＬＥＤ照明手段８０８の取付ベース８０９が略円錐状（截頭円錐状）に形成されているため、管腔に対するレンズアダプタ８０２の挿入性が良く、しかも、取付ベース８０９にＬＥＤが密集状態で配置されているため、内視対象に充分な光量を照射することができる。つまり、この内視鏡装置は、挿入性を考慮した先端が先細りの形状としながらも、階段状に形成した複数段の幅の狭いチップ取付部８０にＬＥＤをベアチップのまま密集状態で配置し、さらに全ての取付部８０のＬＥＤベアチップ１２に跨るように蛍光体層８２１を設けたため、多数のＬＥＤベアチップ１２によって内視対象に対する充分な照射光量を得ることができる。
【００４９】
ところで、図１７（Ａ）は、取付ベース８０９ａの各段のチップ取付部８０にＬＥＤベアチップ１２を個別に収容する複数の窪み部５５を設けた比較例であり、図１７（Ｂ）は、第８の実施形態と同タイプの取付ベース８０９である。図１７（Ａ），（Ｂ）を比較して明らかなように、取付ベース８０９，８０９ａがほぼ同サイズの截頭円錐形状であるならば、図１７（Ｂ）に示す実施形態の装置においては、チップ取付部８０の段数を増やすことによってＬＥＤベアチップ１２の取付総数を大幅に増大させ、それによって充分な照射光量を確保することができる。
【００５０】
尚、この発明の実施形態は以上で説明したものに限るものでなく、例えば、上述の各実施形態は、ＣＣＤによって撮影された映像を液晶パネル等の画像表示手段に映し出すタイプの内視鏡装置について説明したが、対物レンズ群で捕えた像を光ファィバー等のイメージガイドを通して接眼レンズから観察者が直接覗くタイプの内視鏡装置であっても良い。
【００５１】
また、以上で説明した実施形態では、電極部が表面側（上面側）に配置されるタイプのＬＥＤベアチップ１２を用い、各ＬＥＤベアチップ１２と絶縁性板状部材１１Ａ，１１Ｂの電極金属１０Ａ，１０Ｂをワイヤボンディングによって結線したが、電極部が裏面側（下面側）に配置されるタイプのＬＥＤベアチップを用いる場合には、図１８（Ａ），（Ｂ）に示すように、絶縁性板状部材１１Ｃに上面側が外部に露出するように電極と接続線を成す金属１０Ａ，１０Ｂと９０Ａ，９０Ｂを予め埋設しておき、複数のＬＥＤベアチップ１２Ａを、各チップ１２Ａの電極部ａ，ｂと前記金属１０Ａ，９０Ａ、または、１０Ｂ，９０Ｂが相互に導通するように絶縁性板状部材１１Ｃに接着するようにしても良い。
【図面の簡単な説明】
【００５２】
【図１】この発明の第１の実施形態を示す分解斜視図。
【図２】同実施形態の内視鏡装置の全体概略構成を示す斜視図（Ａ）と、先端部の斜視図（Ｂ）を併せた図。
【図３】同実施形態を示す分解斜視図。
【図４】同実施形態の要部を短冊状に変形させたときの正面図（Ａ）と、その正面図に対応する縦断面図（Ｂ）を併せた図。
【図５】この発明の第２の実施形態を示す要部の縦断面図。
【図６】この発明の第３の実施形態を示す要部の縦断面図。
【図７】この発明の第４の実施形態を示す要部の縦断面図
【図８】この発明の第５の実施形態を示す斜視図。
【図９】比較例の正面図（Ａ）と、第５の実施形態の正面図（Ｂ）を併せた図。
【図１０】この発明の第６の実施形態を示す要部の縦断面図。
【図１１】同実施形態の変形例を示す要部の縦断面図。
【図１２】同実施形態の別の変形例を示す要部の縦断面図。
【図１３】この発明の第７の実施形態を示す斜視図。
【図１４】比較例の正面図（Ａ）と、第７の実施形態の正面図（Ｂ）を併せた図。
【図１５】この発明の第８の実施形態を示す正面図。
【図１６】同実施形態を示す縦断面図。
【図１７】比較例の縦断面図（Ａ）と第８の実施形態の縦断面図（Ｂ）を併せた図。
【図１８】この発明の他の実施形態を示す要部の分解平面図（Ａ）と組付後の平面図（Ｂ）を併せた図。
【符号の説明】
【００５３】
３  挿入部
８，５０８，７０８，８０８  ＬＥＤ照明手段
９，１０９，３０９，４０９，５０９，６０９，７０９，８０９  取付ベース
１０Ａ，１０Ｂ  電極金属
１１Ａ，１１Ｂ  絶縁性板状部材
１２  ＬＥＤベアチップ
１３  ワイヤ配線
１４，５１４  ベース本体
１５，５１５  キャビティ部材
１６，５１６  収容孔
１７，３１７，４１７，５１７，６１７  窪み部
２１，１２１，２２１，４２１，８２１  蛍光体層
８１  第１の堰止め壁
８２  第２の堰止め壁
８３  段差コーナ
【図１】
0004632677.tif 000002
【図２】
0004632677.tif 000003
【図３】
0004632677.tif 000004
【図４】
0004632677.tif 000005
【図５】
0004632677.tif 000006
【図６】
0004632677.tif 000007
【図７】
0004632677.tif 000008
【図８】
0004632677.tif 000009
【図９】
0004632677.tif 000010
【図１０】
0004632677.tif 000011
【図１１】
0004632677.tif 000012
【図１２】
0004632677.tif 000013
【図１３】
0004632677.tif 000014
【図１４】
0004632677.tif 000015
【図１５】
0004632677.tif 000016
【図１６】
0004632677.tif 000017
【図１７】
0004632677.tif 000018
【図１８】
0004632677.tif 000019